(57)【特許請求の範囲】
【請求項１】
支柱とパネルと上枠と下枠と竪枠とを備えており、
支柱は、躯体の上に所定間隔をあけて複数立設するものであり、上枠は、各支柱の躯体外側見付けの上部間に架設するとともに、下向きに開口した上側パネル呑込み溝を有し、下枠は、各支柱の躯体外側見付け面の下部間に配置するとともに、躯体内側見付け面が開放した下側パネル呑込み溝構成部を有しており、下枠の躯体内側見付け面には下枠側押縁材が取り付け可能であるとともに、下枠側押縁材と下側パネル呑込み溝構成部とで上向きに開口した下側パネル呑込み溝を形成するものであり、パネルは、上端部を上側パネル呑込み溝に保持してあるとともに、下端部を下側パネル呑込み溝に保持してあり、竪枠は、支柱側竪枠部材と外側竪枠部材と竪枠側押縁材を有しており、外側竪枠部材は、支柱側竪枠部材の外側部に連結可能であり、竪枠側押縁材は、支柱側竪枠部材の両側部にそれぞれ取り付け可能であり、外側竪枠部材と竪枠側押縁材とでパネルの側部を保持することを特徴とする手摺。
【請求項２】
下枠から下枠側押縁材を外して下側パネル呑込み溝構成部を開放し、支柱側竪枠部材から外側竪枠部材と竪枠側押縁材を外すことで上側パネル呑込み溝を開放し、パネルを躯体内側から上枠の上側パネル呑込み溝と下枠の下側パネル呑込み溝に挿し込むことのできるパネル挿し込み空間を形成したことを特徴とする請求項１記載の手摺。
【発明の詳細な説明】
【技術分野】
【０００１】
本発明は、おもにベランダや通路に設置される手摺に関するものである。
【背景技術】
【０００２】
一般住宅や集合住宅などの高所に設置されるベランダや、あるいは、通路等に適用される手摺は、あらかじめ組み立てられたものを現場に運び、そのまま躯体に取り付けられるものの他、現場でパネルを取り付けるなどの組み立てを要するものがあった。
【先行技術文献】
【特許文献】
【０００３】
【特許文献１】特開２００７−３２７２８６号公報
【発明の概要】
【発明が解決しようとする課題】
【０００４】
このうち、現場での組み立てを要する手摺においては、斜視効果や風除用のパネルを取り付けるとき、特開２００７−３２７２８６号公報に示すような、上枠に設けてある下向きに開口した上側パネル呑込み溝に対し、上枠の斜め下側からパネルを上方に挿し入れるとともに、挿し入れたパネルを回動して垂直に立て、さらに、下枠の下側パネル呑込み溝に落とし込む手順をとる、いわゆる慳貪式と呼ばれる手法で取り付ける態様のものがあった。しかしながら、上記のような慳貪式の手摺では、支柱が躯体内側にあることで、その支柱を避けるかたちでパネルを躯体内側から一旦躯体外側に持ち出し、さらに、パネルを持ち上げてパネルの上端を上枠の上側パネル呑込み溝に挿し込み、パネルの下端を下枠の下側パネル呑込み溝に落とし込んで取り付けるものであった。このことから、作業者は、パネルを躯体から外側に持ち出したときに体勢が不安定になって身の危険を伴うものであった。そこで、作業者の安全性を考慮し、躯体の外側に作業用の足場を組む場合もあるが、施工コストの増大と足場を組む日程を工期に組み込む不都合が発生した。
【０００５】
本発明は、上記課題を鑑みてなされたものであり、外観意匠が良好であるとともに、施工の効率性と施工時の安全性を両立できる手摺を提供することにある。
【課題を解決するための手段】
【０００６】
本発明の請求項１記載の発明は、支柱とパネルと上枠と下枠と竪枠とを備えており、支柱は、躯体の上に所定間隔をあけて複数立設するものであり、上枠は、各支柱の躯体外側見付けの上部間に架設するとともに、下向きに開口した上側パネル呑込み溝を有し、下枠は、各支柱の躯体外側見付け面の下部間に配置するとともに、躯体内側見付け面が開放した下側パネル呑込み溝構成部を有しており、下枠の躯体内側見付け面には下枠側押縁材が取り付け可能であるとともに、下枠側押縁材と下側パネル呑込み溝構成部とで上向きに開口した下側パネル呑込み溝を形成するものであり、パネルは、上端部を上側パネル呑込み溝に保持してあるとともに、下端部を下側パネル呑込み溝に保持してあり、竪枠は、支柱側竪枠部材と外側竪枠部材と竪枠側押縁材を有しており、外側竪枠部材は、支柱側竪枠部材の外側部に連結可能であり、竪枠側押縁材は、支柱側竪枠部材の両側部にそれぞれ取り付け可能であり、外側竪枠部材と竪枠側押縁材とでパネルの側部を保持することを特徴とする。
【０００７】
本発明の請求項２記載の発明では、下枠から下枠側押縁材を外して下側パネル呑込み溝構成部を開放し、支柱側竪枠部材から外側竪枠部材と竪枠側押縁材を外すことで上側パネル呑込み溝を開放し、パネルを躯体内側から上枠の上側パネル呑込み溝と下枠の下側パネル呑込み溝に挿し込むことのできるパネル挿し込み空間を形成したことを特徴とする。
【発明の効果】
【０００８】
本発明によれば、外側竪枠部材が外れているとともに、上側パネル呑込み溝と下枠の下側パネル呑込み溝構成部が開放していることから、躯体内側からパネルを差し入れたときに、そのパネルを上下のパネル呑込み溝に挿し入れることのできる空間が形成される。これにより、パネルを躯体内側から差し入れて上枠の上側パネル呑込み溝と下枠の下側パネル呑込み溝にそれぞれ嵌め込み、さらに、下枠に下枠側押縁材を取り付けることで、パネルを上枠と下枠に保持させることができる。そして、外側竪枠部材を支柱側竪枠部材に連結し、さらに、支柱側竪枠部材の両側に竪枠側押縁材をそれぞれ取り付けることにより、パネルの側部を外側と内側で挟んで竪枠で保持することができる。また、パネルを躯体内側から内嵌め式に取り付けることができるので、作業者は安全な姿勢で作業を行える。さらに、竪枠の両側にそれぞれ竪枠側押縁材を取り付ける構造であることから、パネルを上枠と下枠に保持させた後でもパネルと竪枠との間を埋めるシール材の取り付けやコーキング剤を施すことができる。
【図面の簡単な説明】
【０００９】
【図１】本実施による手摺にパネルを取り付ける状態を示す（ａ）は、縦断面図であり、（ｂ）は、横断面図である。
【図２】図１中Ａを拡大して下枠構成部材に下枠側押縁材を取り付けるときの状態を示す縦断面図である。
【図３】（ａ）（ｂ）は、図１中Ｂを拡大して支柱側竪枠部材に外側竪枠部材を取り付けるときの状態を示す横断面図である。
【図４】（ａ）〜（ｄ）は、本実施による手摺の施工手順を示すものであり、（ａ）（ｃ）は、簡略化した縦断面図であり、（ｂ）（ｄ）は、簡略化した横断面図である。
【図５】本実施による手摺の施工後の状態を示す（ａ）は、縦断面図であり、（ｂ）は、横断面図である。
【図６】本実施による手摺の施工後の状態を示す躯体外側から見た正面図である。
【発明を実施するための形態】
【００１０】
以下、本発明の手摺について、集合住宅の高所に設置されるバルコニー手摺に適用した実施形態を各図面に基づいて説明する。
【００１１】
本実施による手摺は、図１（ａ）と図５（ａ）のように、躯体Ｐ上部の躯体外側の端部付近に設置するものであり、図１（ｂ）と図５（ｂ）のように、躯体Ｐの上に所定間隔で複数箇所に起立させる支柱１と、パネル２と、笠木（上枠）３と、下枠４と、竪枠２０とから構成してある。支柱１は、中空押出形材で形成してあり、下端にはアンカーボルトが取り付けてあるとともに、そのアンカーボルトを躯体Ｐに埋設して支柱１を支持するものである。また、支柱１下部の躯体外側の見付け面Ｓには、支柱１から躯体外側に向けて突出した水平片を有する下部ブラケット５がネジで固定してあり、その下部ブラケット５の上部には、下枠支持材６がネジ等の固定具で固定してある。
【００１２】
笠木３は、幅広で且つ縦断面ほぼ横長矩形状の中空押出形材で形成してあり、図１（ａ）と図５（ａ）のように、下端部には下向きに開口した上側パネル呑込み溝７を有しており、パネル２を保持する枠の役割も兼用している。また、上側パネル呑込み溝７は、笠木３の下端部の躯体外側寄りの位置に設けてあり、パネル２の上端が入り込むようにほぼ矩形状をなしている。また、上側パネル呑込み溝７の溝内周部には気密材８が配置してあり、パネル２が下方から挿し込まれたときに、パネル２との隙間に気密材８が挟み込まれる。また、笠木３と支柱１の取付構造については、図１（ａ）と図５（ａ）を参照すれば、支柱１の上端部にほぼ水平な板状をなす上部ブラケット９が取り付けてあり、笠木３下端部の躯体内側に設けてある凹部３ａに嵌合するとともに、笠木３と上部ブラケット９を連通して支柱１の上端部にネジ止めしてある。
【００１３】
下枠４は、図２と図５（ａ）（ｂ）のように、下枠構成部材１０と下枠側押縁材１１とから構成してある。下枠構成部材１０の躯体内側には、下側パネル呑込み溝１２を有しており、その他側部には、下方に延びるほぼ垂直な下枠取付片１３が設けてある。また、支柱１の躯体外側見付け面Ｓには、下部ブラケット５がネジで固定してあり、下部ブラケット５の上部には、躯体外側寄りの位置に下枠支持材６が取り付けてあり、下枠支持材６は、その室内側にほぼＬ字状をなす下側パネル呑込み溝構成部１５を有している。また、下枠支持材６の下側パネル呑込み溝構成部１５の室内側には、係止部１６が設けてあり、係止部１６には、下枠側押縁材１１の被係止部１８が上方から係止する。下枠側押縁材１１は、ほぼブロック状をなしており、下枠側押縁材１１の躯体外側には、下側パネル呑込み溝１２の一部を構成する垂直壁部１１ａを有している。さらに、下枠側押縁材１１の被係止部１８を下枠支持材６の係止部１６に係止したときに、下枠側押縁材１１の躯体外側に位置する垂直壁部１１ａと下側パネル呑込み溝構成部１５で囲まれたほぼ上向きコ字状をなす内周側が下側パネル呑込み溝１２となる。
【００１４】
竪枠２０は、図３（ａ）（ｂ）と図５（ｂ）のように、支柱側竪枠部材２０ｂと外側竪枠部材２０ａとから構成してある。支柱側竪枠部材２０ｂは、支柱取付片２１と、外側竪枠取付片２２とから構成されており、支柱取付片２１のほぼ中央から外側竪枠取付片２２が外側に向けて突出したほぼＴ字状をなしている。外側竪枠部材２０ａは、パネル押さえ片２３と、支柱側竪枠取付片２４とから構成されており、パネル押さえ片２３のほぼ中央から支柱側竪枠取付片２４が室内側に突出したほぼＴ字状をなすものである。また、支柱側竪枠部材２０ｂの両側部には、それぞれ竪枠側押縁材２５が係止される。竪枠側押縁材２５は、外側にパネル２とほぼ平行なシール材取付片２６を有している。これにより、パネル２を挟んで支柱側竪枠部材２０ｂと外側竪枠部材２０ａを連結したときに、パネル２とシール材取付片２６との間にほぼコ字状の溝が形成されるので、その溝にコーキング剤を注入してシール材２７を挟むことにより、パネル２と竪枠２０との水密性を確保できる。また、外側竪枠部材２０ａのシール材取付片２６の見付け幅を狭めることで、図６のように、竪枠２０が目立たずに視覚的にパネル２が連続的に並列する手摺を形成することができる。
【００１５】
次に、本手摺の施工手順のうち、パネルの取付手順について以下に説明する。
第一の手順として、図４（ａ）のように、パネル２を躯体Ｐの室内側から支柱１の躯体外側見付け面Ｓの手前のほうに斜め横方向に差し入れる。
第二の手順として図４（ｂ）のように、パネル挿し込み空間Ｒを利用してパネル２の上端部を笠木３の上側パネル呑込み溝７に挿し入れるとともに、パネル２の下端部を下枠支持材６の下側パネル呑込み溝構成部１５に載せる。
第三の手順として、図４（ｃ）のように、パネル２を上側パネル呑込み溝７と下側パネル呑込み溝１２に沿って笠木３の長手方向にスライドさせながら押し込んでいく。躯体Ｐの全体に亘って複数のパネル２が配置されるまで、上記の作業を繰り返す。
第四の手順として、下枠構成部材１０の係止部１６に下枠側押縁材１１の係止部１６を係止し、躯体内側見付け面Ｌに下枠側押縁材１１を取り付ける。そして、上端を上側パネル呑込み溝７の上端部を呑み込ませ、さらに、下端を下側パネル呑込み溝構成部１５に載せた各パネル２の配置位置をスライドさせながら調整する。これにより、支柱側竪枠部材２０ｂの位置に隣接するパネル２同士の継目が配置されるようにする。
第五の手順として、図４（ｄ）のように、支柱１の躯体外側見付け面Ｓに取り付けてある支柱側竪枠部材２０ｂに、外側竪枠部材２０ａを躯体外側から押し込んで連結する。さらに、支柱側竪枠部材２０ｂの両側に竪枠側押縁材２５，２５をそれぞれ係止し、竪枠側押縁材２５，２５のパネル押さえ片２３，２３とパネル２の間にシール材２７を挟み、さらに、コーキング剤などを注入することにより、本実施による手摺の施工が完了する。
以上の手順を経ることにより本実施による手摺におけるパネル２の取付作業が完了する。
【００１６】
上記の手順を経ることにより、図５（ａ）（ｂ）のように、笠木３の上側パネル呑込み溝７と下枠４の下側パネル呑込み溝１２に、パネル２の上端部と下端部がそれぞれ保持された手摺が形成される。また、下枠側押縁材１１が外れて下枠４の下側パネル呑込み溝１２が開放し、さらに、外側竪枠部材２０ａを後から取り付けることができる。これにより、作業者が躯体内側からパネル２を差し入れて上側パネル呑込み溝７と下側パネル呑込み溝１２に取り付けることができるので、安全を確保して手摺の施工が行える。また、パネル２を取り付けた後は、下枠側押縁材１１や竪枠側押縁材２５、外側竪枠部材２０ａをそれぞれ押し込んで後付けするのみで、手摺の組み立てがほぼ完了することから、施工工期を短縮できる。
【００１７】
本発明では、笠木（上枠）３の形状や大きさについて上記の各実施形態に限定されない。
また、本実施のように笠木３に上側パネル呑込み溝７が一体のものでもよいし、あるいは、別に設けてあるものでもよい。また、パネル２についても、上記各実施形態ではガラス製パネルを使用しているが、その他、樹脂性パネルや木製パネル等であってもよい。また、本発明による手摺は、上記実施形態ではバルコニーに適用したものについて説明しているが、通路やスロープ、階段、間仕切り等、その適用範囲を限定するものではない。
【符号の説明】
【００１８】
１  支柱
２  パネル
３  笠木（上枠）
３ａ  凹部
４  下枠
５  下部ブラケット
６  下枠支持材
７  上側パネル呑込み溝
８  気密材
９  上部ブラケット
１０  下枠構成部材
１１  下枠側押縁材
１１ａ  垂直壁部
１２  下側パネル呑込み溝
１３  下枠取付片
１５  下側パネル呑込み溝構成部
１６  係止部
１８  被係止部
２０  竪枠
２０ａ  外側竪枠部材
２０ｂ  支柱側竪枠部材
２１  支柱取付片
２２  外側竪枠取付片
２３  パネル押さえ片
２４  支柱側竪枠取付片
２５  竪枠側押縁材
２６  シール材取付片
２７  シール材
Ｐ  躯体
Ｒ  パネル挿し込み空間
Ｓ  躯体外側見付け面
Ｌ  躯体内側見付け面
【図１】
0006389739.tif 000002
【図２】
0006389739.tif 000003
【図３】
0006389739.tif 000004
【図４】
0006389739.tif 000005
【図５】
0006389739.tif 000006
【図６】
0006389739.tif 000007